【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
一般式ＩまたはＩＩ：
Ｔ（ＮＨ−Ａｒ（ＣＯ２Ｍ）ａ）ｂＨａｌｃ                        （Ｉ）
Ｘ−ＮＨ−ＣＨ２ＣＨ２−（ＮＹ−ＣＨ２ＣＨ２−）ｎＮＨ−Ｘ      （ＩＩ）
〔式中、
Ｔは１，３，５−トリアジニル基を表し、
Ａｒはフェニル基を表し、
ＭはＨ，Ｎａ，ＬｉまたはＫを表し、
ＨａｌはＣｌ，ＢｒまたはＩを表し、
ａは１，２または３を表し、
ｂは１を表しｃは２を表すか、またはｂは２を表しｃは１を表し、
ＸはＴ（ＮＨ−Ａｒ（ＣＯ２Ｍ）ａ）ｂＨａｌｃ−１を表し、
ＹはＨまたはＸを表し、
およびｎは０〜５０の数を表す。〕
で示されるトリアジン誘導体としての色移り抑制剤ならびに構成物質に適合性の通常成分を含んでなる洗剤。
【請求項２】
トリアジン誘導体は一般式Ｉで示され、２，４，６−トリハロ−１，３，５−トリアジンと１または２当量のアミノアリール化合物との反応によって得られ、アミノアリール化合物のアリール基は少なくとも１つのカルボキシル置換基を有する、請求項１に記載の洗剤。
【請求項３】
トリアジン誘導体は一般式ＩＩで示され、式Ｉによる化合物２当量と１，２−ジアミノエタンまたはオリゴエチレンイミンもしくはポリエチレンイミンとの反応によって得られる、請求項１に記載の洗剤。
【請求項４】
オリゴエチレンイミンもしくはポリエチレンイミンは、式：
ＮＨ２ＣＨ２ＣＨ２−（ＮＨ−ＣＨ２ＣＨ２）ｎＮＨ２
〔式中、ｎは１〜３０、特に２〜２０の数である〕
で示される、請求項３に記載の洗剤。
【請求項５】
アミノアリール化合物は２−アミノ安息香酸、３−アミノ安息香酸、４−アミノ安息香酸、３−アミノ−１，２−ベンゼンジカルボン酸、４−アミノ−１，２−ベンゼンジカルボン酸、２−アミノ−１，３−ベンゼンジカルボン酸、４−アミノ−１，３−ベンゼンジカルボン酸、５−アミノ−１，３−ベンゼンジカルボン酸、２−アミノ−１，４−ベンゼンジカルボン酸、４−アミノ−１，２，３−ベンゼントリカルボン酸、３−アミノ−１，２，４−ベンゼントリカルボン酸、５−アミノ−１，２，４−ベンゼントリカルボン酸、６−アミノ−１，２，４−ベンゼントリカルボン酸および２−アミノ−１，３，５−ベンゼントリカルボン酸（そのカルボン酸基は塩の形態であってもよい）、並びにそれらの混合物から選択される、請求項２〜４のいずれかに記載の洗剤。
【請求項６】
一般式Ｉおよび／またはＩＩの色移り抑制性トリアジン誘導体を０．０５ｗｔ％〜２ｗｔ％、特に０．２ｗｔ％〜１ｗｔ％含有する、請求項１〜５のいずれかに記載の洗剤。
【請求項７】
ビニルピロリドン、ビニルイミダゾール、ビニルピリジン−Ｎ−オキシドのポリマーまたはそれらのコポリマーを更に含有する、請求項１〜６のいずれかに記載の洗剤。
【請求項８】
一般式ＩまたはＩＩ：
Ｔ（ＮＨ−Ａｒ（ＣＯ２Ｍ）ａ）ｂＨａｌｃ                        （Ｉ）
Ｘ−ＮＨ−ＣＨ２ＣＨ２−（ＮＹ−ＣＨ２ＣＨ２−）ｎＮＨ−Ｘ      （ＩＩ）
〔式中、
Ｔは１，３，５−トリアジニル基を表し、
Ａｒはフェニル基を表し、
ＭはＨ，Ｎａ，ＬｉまたはＫを表し、
ＨａｌはＣｌ，ＢｒまたはＩを表し、
ａは１，２または３を表し、
ｂは１を表しｃは２を表すか、またはｂは２を表しｃは１を表し、
ＸはＴ（ＮＨ−Ａｒ（ＣＯ２Ｍ）ａ）ｂＨａｌｃ−１を表し、
ＹはＨまたはＸを表し、
およびｎは０〜５０の数を表す。〕
で示されるトリアジン誘導体の、特に界面活性剤を含有する、水溶液中で一緒に洗う際の、染色繊維製品から未染色繊維製品または異なった色調の染色繊維製品へのテキスタイル染料の移行を抑制するための使用。
【請求項９】
一般式ＩまたはＩＩ：
Ｔ（ＮＨ−Ａｒ（ＣＯ２Ｍ）ａ）ｂＨａｌｃ                        （Ｉ）
Ｘ−ＮＨ−ＣＨ２ＣＨ２−（ＮＹ−ＣＨ２ＣＨ２−）ｎＮＨ−Ｘ      （ＩＩ）
〔式中、
Ｔは１，３，５−トリアジニル基を表し、
Ａｒはフェニル基を表し、
ＭはＨ，Ｎａ，ＬｉまたはＫを表し、
ＨａｌはＣｌ，ＢｒまたはＩを表し、
ａは１，２または３を表し、
ｂは１を表しｃは２を表すか、またはｂは２を表しｃは１を表し、
ＸはＴ（ＮＨ−Ａｒ（ＣＯ２Ｍ）ａ）ｂＨａｌｃ−１を表し、
ＹはＨまたはＸを表し、
およびｎは０〜５０の数を表す。〕
で示されるトリアジン誘導体の、特に界面活性剤を含有する、水溶液中で洗う際の、染色繊維製品の色調効果における変化を抑制するための使用。
【請求項１０】
界面活性剤含有水溶液中で繊維製品を洗浄する方法であって、一般式Ｉおよび／またはＩＩのトリアジン誘導体を含有する界面活性剤含有水溶液を使用する、方法。
【手続補正２】
【補正対象書類名】明細書
【補正対象項目名】００１２
【補正方法】変更
【補正の内容】
【００１２】
本発明の洗剤は、必要に応じて、式ＩまたはＩＩで示される化合物に加えて、既知の染料移動抑制剤を好ましくは０．１重量％〜２重量％、とりわけ０．２重量％〜１重量％含有し得る。本発明の好ましい一態様においては、染料移動抑制剤は、ビニルピロリドン、ビニルイミダゾール、ビニリピリジン−Ｎ−オキシドのポリマーまたはそれらのコポリマーである。以下のものを使用することもできる：欧州特許出願ＥＰ０２６２８９７により知られる例えば分子量１５０００〜５００００のポリビニルピロリドン、国際特許出願ＷＯ９５／０６０９８により知られる分子量が１００００００を越える（とりわけ１５０００００〜４００００００）ポリビニルピロリドン、独国特許出願ＤＥ２８１４２８７若しくはＤＥ３８０３６３０または国際特許出願ＷＯ９４／１０２８１、ＷＯ９４／２６７９６、ＷＯ９５／０３３８８およびＷＯ９５／０３３８２により知られるＮ−ビニルイミダゾール／Ｎ−ビニルピロリドンコポリマー、独国特許出願ＤＥ２８１４３２９により知られるポリビニルオキサゾリドン、欧州特許出願ＥＰ６１０８４６により知られるビニルモノマーおよびカルボン酸アミドに基づくコポリマー、国際特許出願ＷＯ９５／０９１９４により知られるピロリドン基含有ポリエステルおよびポリアミド、国際特許出願ＷＯ９４／２９４２２により知られるグラフトポリアミドアミンおよびポリエチレンイミン、独国特許出願ＤＥ４３２８２５４により知られる第二級アミンに由来するアミド基含有ポリマー、国際特許出願ＷＯ９４／０２５７９または欧州特許出願ＥＰ０１３５２１７により知られるポリアミン−Ｎ−オキシドポリマー、欧州特許出願ＥＰ０５８４７３８により知られるポリビニルアルコール、並びに欧州特許出願ＥＰ０５８４７０９により知られるアクリルアミドアルケニルスルホン酸に基づくコポリマー。しかし、ペルオキシダーゼと過酸化水素および／または水中で過酸化水素を生成する物質とを含んで成る酵素系（例えば国際特許出願ＷＯ９２／１８６８７およびＷＯ９１／０５８３９により知られる）を使用してもよい。この場合、ペルオキシダーゼ用のメディエーター化合物、例えば国際特許出願ＷＯ９６／１００７９により知られるアセトシリンゴン、国際特許出願ＷＯ９６／１２８４５により知られるフェノール誘導体、または国際特許出願ＷＯ９６／１２８４６により知られるフェノチアジン若しくはフェノキサジンを加えることが好ましいが、前記色移動抑制活性物質ポリマーを加えてもよい。本発明の洗剤中に使用するポリビニルピロリドンは、好ましくは１００００〜６００００、とりわけ２５０００〜５００００の平均分子量を有する。コポリマーの場合は、５０００〜５００００、とりわけ１００００〜２００００の平均分子量を有する、ビニルピロリドンとビニルイミダゾールとのモル比５：１ないし１：１のコポリマーが好ましい。
【手続補正３】
【補正対象書類名】明細書
【補正対象項目名】００１３
【補正方法】変更
【補正の内容】
【００１３】
本発明に従って使用する活性物質に加えて、本発明の洗剤（特に、粉末状固体として、後に圧縮された粒子として、または均質溶液若しくは懸濁液として存在し得る）は原則的に、そのような洗剤において既知の通常の任意成分も含有してよい。本発明の洗剤は、とりわけ、ビルダー物質、界面活性剤、有機および／または無機の過酸化合物をベースとする漂白剤、漂白活性剤、水混和性有機溶媒、酵素、金属イオン封鎖剤、電解質、ｐＨ調節剤、および他の助剤、例えば蛍光増白剤、グレーイング抑制剤、発泡調節剤、並びに着色剤および香料を含有し得る。
【手続補正４】
【補正対象書類名】明細書
【補正対象項目名】００１５
【補正方法】変更
【補正の内容】
【００１５】
適当なノニオン性界面活性剤はとりわけ、アルキルグリコシド、並びにアルキルグリコシドまたは直鎖若しくは分枝状アルコールのエトキシル化および／またはプロポキシル化物（アルキル部分の炭素数１２〜１８、アルキルエーテル基数３〜２０、好ましくは４〜１０）を包含する。Ｎ-アルキルアミン、ビシナルジオール、脂肪酸エステルおよび脂肪酸アミド（アルキル部分に関しては前記長鎖アルコール誘導体に対応する）、およびアルキルフェノール（アルキル基の炭素数５〜１２）の、対応するエトキシル化および／またはプロポキシル化物を使用することもできる。
【手続補正５】
【補正対象書類名】明細書
【補正対象項目名】００１７
【補正方法】変更
【補正の内容】
【００１７】
ポリヒドロキシ脂肪酸アミドは、炭素数５または６の還元糖、とりわけグルコースから誘導することが好ましい。ポリヒドロキシ脂肪酸アミドの群は、式（ＩＶ）：
【化２】
2009529593.tif 000001
[式中、Ｒ３は炭素数７〜１２の直鎖または分枝状のアルキルまたはアルケニル基であり、Ｒ４は炭素数２〜８の直鎖、分枝状若しくは環式のアルキレン基またはアリーレン基であり、Ｒ５は炭素数１〜８の直鎖、分枝状若しくは環式のアルキル基またはアリール基またはオキシアルキル基、好ましくはＣ１−４アルキル基またはフェニル基であり、［Ｚ］は、アルキル鎖に少なくとも２個のヒドロキシル基が置換した直鎖ポリヒドロキシアルキル基、またはそのアルコキシル化（好ましくはエトキシル化またはプロポキシル化）誘導体である。］
で示される化合物をも包含する。この場合も好ましくは、［Ｚ］は、糖、例えばグルコース、フルクトース、マルトース、ラクトース、ガラクトース、マンノースまたはキシロースの還元的アミノ化により得られる。次いで、Ｎ−アルコキシ−置換化合物またはＮ−アリールオキシ−置換化合物を、例えば国際特許出願ＷＯ９５／０７３３１に従って触媒としてのアルコキシドの存在下に脂肪酸メチルエステルと反応させて、所望のポリヒドロキシ脂肪酸アミドに変換し得る。唯一のノニオン性界面活性剤として、または他のノニオン性界面活性剤（とりわけ、アルコキシル化脂肪アルコールおよび／またはアルキルグリコシド）と組み合わせて使用する他の好ましいノニオン性界面活性剤群は、脂肪酸アルキルエステル（好ましくはアルキル鎖の炭素数１〜４）、とりわけ脂肪酸メチルエステルの、アルコキシル化物、とりわけエトキシル化物またはエトキシル化／プロポキシル化物であり、これは例えば、日本国特許出願ＪＰ５８／２１７５９８に記載されており、または好ましくは国際特許出願ＷＯ９０／１３５３３に記載の方法で製造する。アミンオキシド型のノニオン性界面活性剤、例えばＮ−ヤシ油アルキル−Ｎ，Ｎ−ジメチルアミンオキシドおよびＮ−獣脂アルキル−Ｎ，Ｎ−ジヒドロキシエチルアミンオキシド、並びに脂肪酸アルカノールアミド型のノニオン性界面活性剤も適当である。このようなノニオン性界面活性剤の量は、好ましくはエトキシル化脂肪アルコールの量を越えず、より好ましくはその半量を越えない。他の適当な界面活性剤として、いわゆる「ジェミニ（Ｇｅｍｉｎｉ）」界面活性剤として知られるものを使用してよい。ジェミニ界面活性剤は通常、１分子当たり２個の親水性基を有する化合物を含むと理解される。それらの基は通例、いわゆる「スペーサー」によって互いに隔てられている。スペーサーは通例、親水性基をそれらが互いに独立して機能し得るよう充分隔てる長さを有すべき炭素鎖である。ジェミニ界面活性剤は通例、臨界ミセル濃度が非常に低く、水の表面張力を著しく低下できる性質を特徴とする。ジェミニ界面活性剤は、「二量体」界面活性剤だけでなく、「三量体」界面活性剤をも包含することがある。適当なジェミニ界面活性剤の例は、独国特許出願ＤＥ４３２１０２２による硫酸化ヒドロキシ混合エーテル、または独国特許出願ＤＥ１９５０３０６１による二量体アルコールビス−スルフェートおよび三量体アルコールトリス−スルフェートおよび−エーテルスルフェートである。独国特許出願ＤＥ１９５１３３９１による末端基キャップした二量体および三量体混合エーテルは、とりわけその二機能および多機能によって特徴付けられる。即ち、そのような末端基キャップ界面活性剤は、良好な湿潤性を示し、発泡性が低いので、機械による洗いまたは洗浄方法に使用するのに特に適当である。しかしながら、国際特許出願ＷＯ９５／１９９５３、ＷＯ９５／１９９５４および米国特許ＵＳ３，２３４，２５８またはＵＳ５，０７５，０４１に記載され、ＤＡＮ（登録商標）の名称でシェルオイルカンパニーの市販生成物として入手し得るジェミニポリヒドロキシ脂肪酸アミドまたはポリポリヒドロキシ脂肪酸アミドは、適当なアニオン性界面活性剤である。１〜６モルのエチレンオキシドでエトキシル化された直鎖状または分枝状Ｃ７〜Ｃ２１アルコール、例えば、平均３．５モルのエチレンオキシド（ＥＯ）でエトキシル化された２−メチル−分枝Ｃ９〜Ｃ１１アルコールまたは１〜４ＥＯでエトキシル化されたＣ１２〜Ｃ１８脂肪アルコール、の硫酸モノエステルも適当である。
好ましいアニオン性界面活性剤は、スルホコハク酸とアルコール（好ましくは脂肪アルコール、より好ましくはエトキシル化脂肪アルコール）とのモノエステルおよび／またはジエステルである、スルホスクシネートまたはスルホコハク酸エステルとしても知られるアルキルスルホコハク酸の塩をも包含する。好ましいスルホスクシネートは、Ｃ８-１８脂肪アルコール残基またはその混合物を有する。特に好ましいスルホスクシネートは、それ自体ノニオン性界面活性剤であるエトキシル化脂肪アルコールから誘導した脂肪アルコール基を有する。同族体分布の狭いエトキシル化脂肪アルコールから誘導した脂肪アルコール基を有するスルホスクシネートが、特に好ましい。アルキル（アルケニル）鎖中に好ましくは８〜１８個の炭素原子を有するアルキル（アルケニル）コハク酸またはその塩を使用してもよい。他の適当なアニオン性界面活性剤は、アミノ酸の脂肪酸誘導体、例えばＮ-メチルタウリン（タウリド）の脂肪酸誘導体および／またはＮ-メチルグリシン（サルコシド）の脂肪酸誘導体を包含する。サルコシドおよび／またはサルコシネート、場合によりモノ不飽和若しくはポリ不飽和の高級脂肪酸のサルコシネート（例えばオレイルサルコシネート）が特に好ましい。他の適当なアニオン性界面活性剤はとりわけ石鹸を包含する。適当な石鹸はとりわけ、飽和脂肪酸石鹸、例えばラウリン酸、ミリスチン酸、パルミチン酸、ステアリン酸、水素化エルカ酸およびベヘン酸の塩、並びに特に天然脂肪酸（例えばヤシ油脂肪酸、パーム核油脂肪酸または獣脂脂肪酸）から誘導した石鹸混合物を包含する。このような石鹸と共に、またはその代わりに、既知のアルケニルコハク酸塩を使用してもよい。
【手続補正６】
【補正対象書類名】明細書
【補正対象項目名】００１８
【補正方法】変更
【補正の内容】
【００１８】
アニオン性界面活性剤（石鹸を包含する）は、ナトリウム塩、カリウム塩またはアンモニウム塩の形態で、および有機塩基（例えばモノエタノールアミン、ジエタノールアミンまたはトリエタノールアミン）の可溶性塩の形態で存在し得る。アニオン性界面活性剤は、ナトリウム塩またはカリウム塩の形態であることが好ましく、ナトリウム塩が特に好ましい。
【手続補正７】
【補正対象書類名】明細書
【補正対象項目名】００２０
【補正方法】変更
【補正の内容】
【００２０】
本発明の洗剤は、好ましくは少なくとも１種の水溶性および／または水不溶性有機および／または無機ビルダーを含有する。水溶性有機ビルダー材料は次のものを包含する：ポリカルボン酸、とりわけクエン酸および糖酸、モノマーおよびポリマー型のアミノポリカルボン酸、とりわけメチルグリシン二酢酸、ニトリロ三酢酸およびエチレンジアミン四酢酸、ポリアスパラギン酸、ポリホスホン酸、とりわけアミノトリス（メチレンホスホン酸）、エチレンジアミンテトラキス（メチレンホスホン酸）および１−ヒドロキシエタン−１，１−ジホスホン酸、ポリマー型のヒドロキシ化合物、例えばデキストリン、ポリマー型の（ポリ）カルボン酸、とりわけ欧州特許ＥＰ０６２５９９２および／または国際特許出願ＷＯ９２／１８５４２または欧州特許ＥＰ０２３２２０２に従って多糖またはデキストリンを酸化することにより得ることができるポリカルボキシレート、アクリル酸、メタクリル酸またはマレイン酸のポリマーおよびそれらのコポリマー（カルボン酸官能基を持たない少量の重合性物質が共重合していてもよい）。不飽和カルボン酸のホモポリマーの相対分子量は通例３０００〜２０００００であり、コポリマーの相対分子量は２０００〜２０００００、好ましくは３００００〜１２００００である（遊離酸換算）。特に好ましいアクリル酸／マレイン酸コポリマーは、３００００〜１０００００の相対分子量を持つ。市販生成物の例は、Ｓｏｋａｌａｎ（登録商標）ＣＰ５、ＣＰ１０およびＰＡ３０（ＢＡＳＦ）を包含する。この種類の化合物のうち、好ましさは劣るとしても好適なものは、アクリル酸またはメタクリル酸とビニルエーテル（例えばビニルメチルエーテル）、ビニルエステル、エチレン、プロピレンおよびスチレンとのコポリマーであって、酸部分が少なくとも５０重量％を占めるものを包含する。適当な水溶性有機ビルダー材料として、モノマーとして２種の不飽和酸および／またはそれらの塩と、第３のモノマーとしてビニルアルコールおよび／またはエステル化されたビニルアルコールまたは炭水化物を含むターポリマーを使用してもよい。第１の酸モノマーおよび／またはその塩は、モノエチレン性不飽和Ｃ３−８カルボン酸、好ましくはＣ３−４モノカルボン酸（とりわけアクリル酸またはメタクリル酸）から誘導される。第２の酸モノマーおよび／またはその塩はＣ４−８ジカルボン酸（マレイン酸が特に好ましい）の誘導体、および／または２位がアルキル基またはアリール基で置換されたアリルスルホン酸の誘導体であり得る。このようなポリマーはとりわけ、独国特許ＤＥ４２２１３８１および独国特許出願ＤＥ４３００７７２に記載されている方法で製造することができ、通例１０００〜２０００００の相対分子量を持つ。その他の好ましいコポリマーは、独国特許出願ＤＥ４３０３３２０およびＤＥ４４１７７３４に記載されているコポリマーであって、好ましくはアクロレインとアクリル酸／アクリル酸塩、および／または酢酸ビニルをモノマーとして含有するものである。特に液体洗剤の製造には、有機ビルダー材料を水溶液の形態、好ましくは３０〜５０重量％水溶液の形態で使用し得る。上述の酸はすべて、通例それらの水溶性塩、とりわけアルカリ金属塩の形態で使用する。
【手続補正８】
【補正対象書類名】明細書
【補正対象項目名】００２６
【補正方法】変更
【補正の内容】
【００２６】
使用し得る漂白活性剤は、過加水分解条件下に、炭素数好ましくは１〜１０（より好ましくは２〜４）の脂肪族パーオキソカルボン酸、および／または置換若しくは不置換過安息香酸を生成する化合物である。上記炭素数のＯ−および／またはＮ−アシル基、および／または置換若しくは不置換ベンゾイル基を有する物質が適当である。好ましい漂白活性剤は、ポリアシル化アルキレンジアミン、とりわけテトラアセチルエチレンジアミン（ＴＡＥＤ）、アシル化トリアジン誘導体、とりわけ１，５−ジアセチル−２，４−ジオキソヘキサヒドロ−１，３，５−トリアジン（ＤＡＤＨＴ）、アシル化グリコールウリル、とりわけテトラアセチルグリコールウリル（ＴＡＧＵ）、Ｎ−アシルイミド、とりわけＮ−ノナノイルスクシンイミド（ＮＯＳＩ）、アシル化フェノールスルホネート、とりわけｎ−ノナノイルオキシベンゼンスルホネートまたはイソノナノイルオキシベンゼンスルホネート（ｎ−ＮＯＢＳまたはイソ−ＮＯＢＳ）、無水カルボン酸、とりわけ無水フタル酸、アシル化多価アルコール、とりわけトリアセチン、エチレングリコールジアセテート、２，５−ジアセトキシ−２，５−ジヒドロフラン、エノールエステル（独国特許出願ＤＥ１９６１６６９３およびＤＥ１９６１６７６７により知られる）、アセチル化ソルビトールおよびマンニトールおよび／またはそれらの混合物（ＳＯＲＭＡＮ）（欧州特許出願ＥＰ０５２５２３９に記載されている）、アシル化糖誘導体、とりわけペンタアセチルグルコース（ＰＡＧ）、ペンタアセチルフルクトース、テトラアセチルキシロースおよびオクタアセチルラクトース、アセチル化（場合によりＮ−アルキル化）グルカミンおよびグルコノラクトン、および／またはＮ−アシル化ラクタム、例えばＮ−ベンゾイルカプロラクタム（国際特許出願ＷＯ９４／２７９７０、ＷＯ９４／２８１０２、ＷＯ９４／２８１０３、ＷＯ９５／００６２６、ＷＯ９５／１４７５９およびＷＯ９５／１７４９８により知られる）である。親水性置換アシルアセタール（独国特許出願ＤＥ１９６１６７６９により知られる）およびアシルラクタム（独国特許出願ＤＥ１９６１６７７０および国際特許出願ＷＯ９５／１４０７５に記載されている）を使用することも好ましい。独国特許出願ＤＥ４４４３１７７により知られる従来の漂白活性剤組み合わせを使用してもよい。そのような漂白活性剤は、とりわけ前記の過酸化水素生成漂白剤の存在下に、通常の量で、好ましくは剤全体に対して０．５〜１０重量％、より好ましくは１〜８重量％の量で使用し得る。しかし、過カルボン酸を唯一の漂白剤として使用する場合は、漂白活性剤が存在しないことが好ましい。
【手続補正９】
【補正対象書類名】明細書
【補正対象項目名】００４１
【補正方法】変更
【補正の内容】
【００４１】
実施例５：Ｎ−ポリ（４−クロロ−６−［３，５−ジカルボキシフェニルアミノ］トリアジニル）ポリエチレンイミンの製造
実施例２の記載と同様にして、５−アミノイソフタル酸（１０ｇ）を塩化シアヌルと０℃〜５℃にて反応させた。エチレンイミンオリゴマー（２．９ｇ、平均分子量４３２）を得られた２−（３，５−ジカルボキシフェニルアミノ）−４，６−ジクロロトリアジンの溶液へ添加し、反応混合物を３５℃にて６時間撹拌した。上記の後処理を行い、生成物１７．５ｇを得た。